(57)【要約】      （修正有）【課題】人体、携行品、衣服等に貼付けて使用する装飾具。【解決手段】透明なシート状基材２の裏面２１に取り外し自在の粘着材層３、表面２２に紫外線硬化樹脂から成るコーティング剤層４を形成し、コーティング剤層４にラインストーンなどの宝飾部品５の一部を埋め込んでコーティング剤層４を硬化して装飾具１とする。人体に貼付けた場合にはタトゥーシールとして使用でき、宝飾部品５を配置した華やかな装飾具１でお洒落を容易に楽しむことができる。【選択図】図２
2018053001.tif 000002
【特許請求の範囲】
【請求項１】
装飾の対象物となる被着体に貼付いて使用される装飾具において、
シート状の基材と、
前記基材の一方の面に塗布され、該一方の面を前記被着体に貼付ける粘着材層と、
前記基材の他方の面に、予め定める厚みの盛り上がりを持って塗布され、紫外線硬化樹脂から成るコーティング剤層と、
前記コーティング剤層による前記盛り上がりに裏面側の少なくとも一部が埋め込まれて前記コーティング剤層が硬化することで前記基材の他方の面に係止され、表面側からは所望の光および／または色彩表現が可能な宝飾部品とを含むことを特徴とする装飾具。
【請求項２】
前記基材はポリ塩化ビニルまたはポリウレタンの透明シートから成り、前記粘着材層は生体適合性を有する着脱自在の粘着材から成ることで、タトゥーシールとして使用されることを特徴とする請求項１記載の装飾具。
【請求項３】
前記基材には、一方の面および／または他方の面に、印刷による絵柄が形成されていることを特徴とする請求項２記載の装飾具。
【請求項４】
前記宝飾部品は、ラインストーンから成り、裏面にホットメルトが塗布されていることを特徴とする請求項１〜３の何れか１項に記載の装飾具。
【請求項５】
前記コーティング剤層における予め定める厚みは、２０〜５０μｍであることを特徴とする請求項１〜４の何れか１項に記載の装飾具。
【請求項６】
被着体に貼付いて使用される装飾具の作成方法において、
シート状の基材の一方の面に、前記被着体に貼付くことができる粘着材層を塗布する工程と、
前記基材の他方の面に、紫外線硬化樹脂から成るコーティング剤層を、予め定める厚みの盛り上がりを持って塗布する工程と、
前記基材の表面側から、所望の光および／または色彩表現が可能な宝飾部品の裏面側の少なくとも一部を、半硬化状態の前記コーティング剤層による前記盛り上がりに埋め込む行程と、
前記コーティング剤層に紫外線を照射して硬化させて、前記宝飾部品を係止させる工程とを含むことを特徴とする装飾具の作成方法。
【請求項７】
前記宝飾部品は、複数個がキャリアフィルムに仮固定されており、該宝飾部品を前記コーティング剤層に埋め込む行程では、そのキャリアフィルムから前記宝飾部品が一括して転写されることを特徴とする請求項６記載の装飾具の作成方法。
【発明の詳細な説明】
【技術分野】
【０００１】
本発明は、装飾具およびその作成方法に関し、前記装飾具としては、タトゥーシールなどとして用いられるものに関する。
【背景技術】
【０００２】
前記タトゥーシールは、現在、特許文献１や特許文献２で示されるように、人体自体に貼付け可能な印刷シールから構成されていることが多い。そして、その用途としては、バラエティストアなどで販売されてお洒落に用いられる以外にも、スポーツや音楽のイベント、或いはアミューズメントパークなどで販売され、雰囲気を盛り上げたりするために使用されたりもする。
【先行技術文献】
【特許文献】
【０００３】
【特許文献１】２０１０−１８５０３９号公報
【特許文献２】特開２０００−１６０１１１号公報
【発明の開示】
【発明が解決しようとする課題】
【０００４】
上述の従来技術は、いずれも印刷シールであるので、多様な絵柄を採用し、また金属箔を貼付けることで光沢を持たせたりすることができる。しかしながら、衣服、たとえば舞台衣装に施すようなラインストーンやスパンコールなどの宝飾部品に比べて、輝きは全く異なり、華やかさについては、これらに遙か及ばない。
【０００５】
本発明の目的は、タトゥーシールなどとして使用される装飾具において、ラインストーンなどの宝飾部品を配置して、華やかさを得ることができる装飾具およびその作成方法を提供することである。
【課題を解決するための手段】
【０００６】
本発明の装飾具は、装飾の対象物となる被着体に貼付いて使用される装飾具において、シート状の基材と、前記基材の一方の面に塗布され、該一方の面を前記被着体に貼付ける粘着材層と、前記基材の他方の面に、予め定める厚みの盛り上がりを持って塗布され、紫外線硬化樹脂から成るコーティング剤層と、前記コーティング剤層による前記盛り上がりに裏面側の少なくとも一部が埋め込まれて前記コーティング剤層が硬化することで前記基材の他方の面に係止され、表面側からは所望の光および／または色彩表現が可能な宝飾部品とを含むことを特徴とする。
【０００７】
また、本発明の装飾具の作成方法は、被着体に貼付いて使用される装飾具の作成方法において、シート状の基材の一方の面に、前記被着体に貼付くことができる粘着材層を塗布する工程と、前記基材の他方の面に、紫外線硬化樹脂から成るコーティング剤層を、予め定める厚みの盛り上がりを持って塗布する工程と、表面側から所望の光および／または色彩表現が可能な宝飾部品の裏面側の少なくとも一部を、半硬化状態の前記コーティング剤層による前記盛り上がりに埋め込む行程と、前記コーティング剤層に紫外線を照射して硬化させて前記宝飾部品を係止させる工程とを含むことを特徴とする。
【０００８】
上記の構成によれば、人体自体や、その携行品や衣服などの装飾の対象物となる被着体に、粘着力で貼付いて使用される装飾具において、シート状の基材の、その被着体に貼付く一方の面にはその貼付くための粘着材層を塗布形成し、反対の他方の面には、予め定める厚みの盛り上がりを持って紫外線硬化樹脂から成るコーティング剤層をシルク印刷などで塗布形成し、そのコーティング剤層による前記盛り上がりに、ラインストーンなどの宝飾部品の少なくとも一部を埋め込んで前記コーティング剤層を硬化させる。
【０００９】
したがって、前記ラインストーンは、従来では布地にホットメルトで貼付けられる程度であったのを、コーティング剤層を介在することで、シート状の基材（フィルム）にも搭載することができ、その基材（フィルム）が粘着材で任意の被着体に貼付くことができるので、たとえば人体に貼付けた場合にはタトゥーシールなどとして使用することができる。こうして、使用者は、宝飾部品を配置した華やかな装飾具で、部分的なお洒落を、極めて容易に楽しむことができる。特に、スポーツや音楽のイベント、或いはアミューズメントパークなどで好適に実施することができる。
【００１０】
さらにまた、本発明の装飾具では、前記基材はポリ塩化ビニルまたはポリウレタンの透明シートから成り、前記粘着材層は生体適合性を有する着脱自在の粘着材から成ることで、タトゥーシールとして使用されることを特徴とする。
【００１１】
上記の構成によれば、粘着材層が生体適合性を有し、着脱自在であることで人体への貼付けが可能になる。その上で、基材は、ＰＥＴなどでも可能であるが、ポリ塩化ビニルまたはポリウレタンのマット素材から成ることで、それらは軟らかくて前記人体に沿うことができるとともに、皮膚に溶け込むシートを実現できる。そして、そのシートが透明であることで、肌に直接宝飾部品が貼付いているように見え、タトゥーのような効果を得ることができる。
【００１２】
また、本発明の装飾具では、前記基材には、一方の面および／または他方の面に、印刷による絵柄が形成されていることを特徴とする。
【００１３】
上記の構成によれば、シートに絵柄を印刷することで、タトゥーシールを作成でき、それに宝飾部品の下だけベタ塗りで紫外線硬化樹脂によるコーティング剤層をシルク印刷などでコーティングすることで、さらに前記ラインストーンなどの宝飾部品を貼付けることができる。
【００１４】
さらにまた、本発明の装飾具では、前記宝飾部品は、ラインストーンから成り、裏面にホットメルトが塗布されていることを特徴とする。
【００１５】
上記の構成によれば、宝飾部品であるラインストーンは、コーティング剤層の盛り上がりに少なくとも一部が埋まり込んで係止されるが、そのラインストーンの裏面にホットメルトが塗布されていることで、コーティング剤層を硬化させる際に加わる熱で、このホットメルトも溶融し、ラインストーンをコーティング剤層に、より強固に固着することができる。
【００１６】
また、本発明の装飾具では、前記コーティング剤層における予め定める厚みは、２０〜５０μｍであることを特徴とする。
【００１７】
上記の構成によれば、宝飾部品が充分に埋まり込んで係止されるコーティング剤層を作成することができる。
【００１８】
さらにまた、本発明の装飾具の作成方法では、前記宝飾部品は、複数個がキャリアフィルムに仮固定されており、該宝飾部品を前記コーティング剤層に埋め込む行程では、そのキャリアフィルムから前記宝飾部品が一括して転写されることを特徴とする。
【００１９】
上記の構成によれば、凹凸の大きなコーティング剤層に、多数の宝飾部品を、一括して、かつ定位置に正確に埋め込むことができる。
【発明の効果】
【００２０】
本発明の装飾具およびその作成方法は、以上のように、人体自体や、その携行品や衣服などの装飾の対象物となる被着体に貼付いて使用される装飾具およびその作成方法において、シート状の基材の、その被着体に貼付く一方の面にはその貼付くための粘着材層を塗布形成し、反対の他方の面には、予め定める厚みの盛り上がりを持って紫外線硬化樹脂から成るコーティング剤層を塗布形成し、そのコーティング剤層による前記盛り上がりに、ラインストーンなどの宝飾部品の少なくとも一部を埋め込んで前記コーティング剤層を硬化させる。
【００２１】
それゆえ、前記ラインストーンは、従来では布地にホットメルトで貼付けられる程度であったのを、コーティング剤層を介在することで、シート状の基材（フィルム）にも搭載することができ、その基材（フィルム）が粘着材で任意の被着体に貼付くことができるので、たとえば人体に貼付けた場合にはタトゥーシールなどとして使用することができる。こうして、使用者は、宝飾部品を配置した華やかな装飾具で、部分的なお洒落を、極めて容易に楽しむことができる。
【図面の簡単な説明】
【００２２】
【図１】本発明の実施の一形態に係る装飾具の斜視図である。
【図２】前記装飾具の一部分を拡大して示す厚み方向の断面図である。
【図３】前記装飾具の作成方法を模式的に示す図である。
【発明を実施するための形態】
【００２３】
図１は本発明の実施の一形態に係る装飾具１の斜視図であり、図２は装飾具１の一部分を拡大して示す厚み方向の断面図である。この装飾具１は、人体自体や、鞄などの携行品、或いは衣服などの、装飾の対象物となる被着体に、粘着力で貼付いて使用される。前記衣服としては、ストッキングやスニーカなどの布地が考えられる。この装飾具１は、人体に貼付けた場合には、タトゥーシールなどとして使用することができる。
【００２４】
この装飾具１は、シート状の基材２と、基材２の一方の面である裏面２１に塗布される粘着材層３と、前記基材２の他方の面である表面２２に塗布されるコーティング剤層４と、コーティング剤層４に少なくとも一部が埋め込まれる宝飾部品５とを備えて構成される。未使用状態の該装飾具１には、粘着材層３による不所望な粘着を防止するために剥離紙６が貼付けられており、この剥離紙６を剥がすことで、該装飾具１が被着体に貼付くことが可能になる。
【００２５】
基材２は、ＰＥＴ、ポリ塩化ビニル、またはポリウレタンから成る透明なシート状の基材である。基材２の厚みは、たとえば５０〜１００μｍである。粘着材層３は、医療用の認定を受けている、すなわち人体に貼付け可能な粘着材から成り、汚れたら水で洗うことで粘着力を回復することができるものである。粘着材層３の厚みは、たとえば１５〜３０μｍである。これらの基材２および粘着材層３は、基材２に粘着材層３が予めシルク印刷などで均一に塗布され、さらに剥離紙６が貼付けられて、再剥離ウレタンシートや塩ビシートとして販売されているものを使用することができる。塩ビシートの場合、ゴムにでも貼付くことができる。
【００２６】
コーティング剤層４は、基材２の表面２２において、宝飾部品５が搭載される部分に、予め定める厚み、好ましくは２０〜５０μｍの盛り上がりを持って、シルク印刷などで塗布される。コーティング剤層４は、たとえばＵＶアクリル糊などと称されるアクリル系の紫外線硬化樹脂から成る。
【００２７】
宝飾部品５は、半硬化状態のコーティング剤層４による前記盛り上がりに裏面５１側の少なくとも一部が埋め込まれて前記コーティング剤層４が硬化することで前記基材２の表面２２に係止される。宝飾部品５は、ラインストーンやスパンコールなどから成り（本実施形態ではラインストーンで示している）、表面５２側からは所望の光および／または色彩表現が可能となっている。ラインストーン(rhinestone)は、ファセット・カットされた水晶、ガラスまたはアクリル樹脂製のダイヤモンドに類似した模造宝石の一種であり、輝きをアップするために、裏面５１に金属を蒸着したものを用いてもよい。本実施形態では、石のクラウン部分のみを模した、裏面５１が平らなタイプのラインストーンを用いる。スパンコールは、光を反射させるために使用する服飾資材で、穴の空いた金属やプラスチックの小片から成る。
【００２８】
図３は、上述のような装飾具１の作成方法を模式的に示す図である。図３は、図面を簡略化するために、図１と、宝飾部品５の配置等が異なっている。図３（ａ）で示す基材２としてのウレタンシートには、その裏面２１に粘着材層３が、前記シルク印刷などで予め塗布されており、図３（ｂ）で示す剥離紙（セパレート）６が貼付けられて販売されている。その基材２の表面２２に、図３（ｃ）で示すコーティング剤層４としてのＵＶインク層を、前記シルク印刷などで形成する。このＵＶインク層が半硬化の状態で、図３（ｄ）で示すように、宝飾部品５としての複数のラインストーンを、プレス機などで、キャリアフィルムから一括して転写する。その状態で紫外線を照射して、ＵＶインク層（４）で宝飾部品５を係止させた後、前記キャリアフィルムを剥離し、大きなシートから個別の装飾具１を切り出して、該装飾具１が完成する。なお、コーティング剤層４には、熱硬化の樹脂も使用可能であるが、熱硬化の場合、温度が１５０℃以上になると、ラインストーンの輝きが落ちてしまうので、前記紫外線硬化樹脂が好ましい。
【００２９】
このように構成することで、人体自体や、その携行品や衣服などの装飾の対象物となる被着体に、粘着力で貼付いて使用される装飾具において、ラインストーン（５）は、従来では布地にホットメルトで貼付けられる程度であったのを、予め定める厚みの盛り上がりを持つコーティング剤層４を介在し、それに一部を埋め込むことで、シート状の基材（フィルム）２にも搭載することができ、その基材（フィルム）２が粘着材層３で任意の被着体に貼付くことができるので、たとえば人体に貼付けた場合にはタトゥーシールなどとして使用することができる。こうして、使用者は、宝飾部品５を配置した華やかな装飾具１で、部分的なお洒落を、極めて容易に楽しむことができる。特に、スポーツや音楽のイベント、或いはアミューズメントパークなどで好適に実施することができる。
【００３０】
そして、粘着材層３が生体適合性を有し、着脱自在であることで人体への貼付けが可能になるので、基材２は、ＰＥＴでも可能であるが、ポリ塩化ビニルまたはポリウレタンのマット素材から成ることが好ましい。これは、それらは軟らかくて前記人体に沿うことができるとともに、皮膚に溶け込むシートを実現できるためである。そして、そのシート（２）ならびに粘着材層３および硬化したコーティング剤層４が透明であることで、肌に直接宝飾部品５が貼付いているように見え、タトゥーのような効果を得ることができる。
【００３１】
また好ましくは、基材（シート）２の裏面２１および／または表面２２に、印刷による絵柄が形成されている。そうすることで、その印刷だけで従来からのタトゥーシールを作成でき、それに宝飾部品５の下だけベタ塗りで紫外線硬化樹脂によるコーティング剤層４をシルク印刷などでコーティングすることで、さらに前記ラインストーンなどの宝飾部品５を貼付ける、従来に無い華やかなタトゥーシールを実現することができる。たとえば、印刷でキャラクターの顔面を形成し、部分的、たとえば眼球の部分にラインストーン（５）を入れていくようなものである。
【００３２】
さらにまた好ましくは、宝飾部品５は、ラインストーンから成り、裏面５１にホットメルト５３が塗布されている。ラインストーン（５）には、通常、布地に熱プレスで貼付けるために、熱可塑性プラスチックなどから成る前記ホットメルト５３が塗布されており、そのホットメルト５３が布（繊維）の凹凸に食い込むことでラインストーン（５）が布地に係止される。しかしながら、そのホットメルト５３だけでは、ＰＥＴ、塩化ビニル、またはポリウレタンから成る基材２に載せて熱プレスしても、通常は着かない。そこで上述のように本発明では、コーティング剤層４の盛り上がりにラインストーン（５）の少なくとも一部を埋め込んで係止するが、ホットメルト５３が塗布されていることで、コーティング剤層４を硬化させる際に加わる熱で、このホットメルト５３も溶融（８０〜１００℃程度で）し、コーティング剤層４と一体化して、ラインストーン（５）をより強固に固着することができ、好適である。
【００３３】
また好ましくは、前記コーティング剤層４における予め定める厚みが、２０〜５０μｍであるので、宝飾部品５が充分に埋まり込んで係止されるコーティング剤層４を作成することができる。
【００３４】
さらにまた好ましくは、その宝飾部品５をコーティング剤層４に埋め込む行程では、複数個の宝飾部品５が仮固定されたキャリアフィルムをコーティング剤層４の上に重ね、紫外線硬化させた後にそのキャリアフィルムを剥離するので、凹凸の大きなコーティング剤層４に、多数の宝飾部品５を、一括して、かつ定位置に正確に埋め込むことができる。
【００３５】
なお、上述のように、粘着材層３は、医療用の認定を受けている粘着材から成り、さらに熱可塑性を有するものである。そうすることで、たとえばタトゥーシールとして使用した後に、アイロンで衣服に固着したりすることもでき、該装飾具１の利用の範囲を拡げたり、再利用したりすることができる。
【符号の説明】
【００３６】
１    装飾具
２    基材
２１    裏面
２２    表面
３    粘着材層
４    コーティング剤層
５    宝飾部品
５１    裏面
５２    表面
６    剥離紙
５３    ホットメルト
【図１】
2018053001.tif 000003
【図２】
2018053001.tif 000004
【図３】
2018053001.tif 000005